(57)【要約】【課題】  平常時は、コンパクトに収納できて占有面積が狭小で足りる省スペースである一方で、災害発生時などの緊急時には、簡易迅速に組み立てて使用することができるとともに、災害終息後は簡易に撤去することが可能な緊急時用シェルターを安価で実現する。【解決手段】  段ボールを用いた四角皿状の床部３０と、床部３０上に載置される、窓部１２ａ，１２ｂを形成するための切れ目１１ａ，１１ｂ及び取っ手１６を有する扉部１５を形成するための切れ目１３，１４が設けられた段ボールを用いた四角筒状の壁部１０と、壁部１０の上端部に嵌合するとともに壁部１０により支持される梁部４１によって支持される、段ボールを用いた四角皿状の屋根部４０とにより、災害発生時などの緊急時に使用するシェルターを構成する。【選択図】        図１
0003135758.tif 000002
【実用新案登録請求の範囲】
【請求項１】
段ボールを用いた平面形状が多角形である皿状の床部（３０）と、
前記床部上に載置される、窓部（１２ａ，１２ｂ）を形成するための切れ目（１１ａ，１１ｂ）及び取っ手（１６）を有する扉部（１５）を形成するための切れ目（１３，１４）がそれぞれ設けられた段ボールを用いた断面形状が前記多角形である筒状の壁部（１０）と、
前記壁部の上端部に嵌合して配設される、段ボールを用いた平面形状が前記多角形である皿状の屋根部（４０）と、
前記屋根部を支持するための、前記壁部により支持される段ボールを用いた梁部（４１）とを
具備した緊急時用シェルター。
【請求項２】
前記多角形が四角形及び八角形の一方である請求項１記載の緊急時用シェルター。
【請求項３】
段ボールを用いた四角皿状の床部（９０）と、前記床部上に載置される、通気のための打抜空部（８１ａ〜８１ｃ）及び取っ手（８６）を有する扉部（８５）を形成するための切れ目（８２，８３，８４）がそれぞれ設けられた段ボールを用いた四角筒状の壁部（８０）と、前記壁部の上端部に嵌合して配設される、段ボールを用いた四角皿状の屋根部（１００）とからなるブースが、更衣室及びトイレットの一方として併設されたものである請求項１又は２記載の緊急時用シェルター。
【請求項４】
持ち手（１１２）を有する段ボールを用いた箱体状の第１の寝台半部（１１０）と、前記持ち手が挿通する孔部（１１３）を有し前記第１の寝台半部を包摂するサイズである段ボールを用いた箱体状の第２の寝台半部（１１１）と、前記第１及び第２の寝台半部を補強するための段ボールを用いた折り畳み可能な補強部（１１４）からなるベッドが配置されたものである請求項１又は２記載の緊急時用シェルター。
【請求項５】
段ボールを用いた所定形状の蓋部（１２０）と、前記蓋部に設けられた差込辺（１２１）を差込むための切欠き（１３１）を有する平面形状が略Ｏ字状の段ボールを用いた便座部（１３０）と、前記便座部を支持するとともに排泄された便を収容する便袋を収納するための便袋収納部（１４１）が配設された段ボールを用いた所定形状の本体部（１４０）と、前記本体部を支持するための段ボールを用いた皿状の支持部（１５０）からなる便器が前記ブース内に配置されたものである請求項３記載の緊急時用シェルター。
【請求項６】
段ボールを用いた皿状の天蓋部（１６０）と、前記天蓋部を支持するとともに段ボールを用いた箱体状の引出し部（１７０）の出し入れを案内するための段ボールを用いた箱体状の案内部（１８０）と、前記案内部を支持するための段ボールを用いた扁平な方形体状の２つの側壁部（１９０ａ，１９０ｂ）と、前記側壁部の一方に設けられた切欠き（１９１ａ〜１９１ｃ）に差込む差込辺（２０１ａ〜２０１ｃ）が設けられた段ボールを用いた扉部（２００）と、前記２つの側壁部に設けられた切欠き（１９２ａ，１９２ｂ）に差込む差込辺（２１１ａ〜２１１ｈ）が設けられた段ボールを用いた仕切板部（２１０）からなるキャビネットが配置されたものである請求項１又は２記載の緊急時用シェルター。
【考案の詳細な説明】
【技術分野】
【０００１】
本考案は緊急時用シェルターに関する。具体的には、平常時は、コンパクトに収納できて占有面積が狭小で足りる省スペースである一方で、災害発生時などの緊急時には、簡易迅速に組み立てて使用することができるとともに、災害終息後は簡易に撤去することが可能な緊急時用シェルターを安価で提供せんとするものである。
【背景技術】
【０００２】
例えば、震度の大きい地震の発生により、家屋が倒壊したり、あるいは、倒壊しないまでも余震の可能性があり、そのまま家屋内に留まるのが危険である場合は、体育館や公民館などの公的施設を避難所として罹災者が避難することが行われている。
【０００３】
また、近隣に体育館や公民館などが存在しない場合、あるいは、存在しても多数の罹災者が集まる避難所を敬遠する場合は、所有する自動車内で地震が終息するまで過ごす罹災者も見られる。
【考案の開示】
【考案が解決しようとする課題】
【０００４】
しかしながら、罹災者が体育館や公民館などの公的施設に避難する場合は、多数の罹災者が同一空間内で隣り合わせて生活を送るため、個々人のプライバシーが守られないことになる。また、避難生活が長期間にわたると、精神的な抑圧のため肉体的、精神的に変調をきたす罹災者も現れてくる。
【０００５】
他方、体育館や公民館などではなく、避難のため自動車内で過ごす場合は、それが同じ姿勢のままの状態で長時間継続すると、航空機の乗客が発症する、いわゆるエコノミークラス症候群（肺動脈血栓塞栓症）と同様の症状が起き、死に至る事態が発生することも指摘されている。
【課題を解決するための手段】
【０００６】
そこで、上記課題に照らし、本考案はなされたものである。そのために、本考案では、災害発生時などの緊急時に使用するシェルターとして、段ボールを用いた皿状の床部と、床部上に載置される、窓部を形成するための切れ目及び取っ手を有する扉部を形成するための切れ目が設けられた段ボールを用いた筒状の壁部と、壁部の上端部に嵌合して配設される、段ボールを用いた皿状の屋根部とにより構成するようにした。また、シェルターに付属する設備や備品などの素材にも段ボールを用いるようにした。
【考案の効果】
【０００７】
本考案によるならば、地震などの災害が発生していない平常時は、シェルターを構成する各部や付属する設備・備品等は、段ボール・シートという平板状の態様であるので、省スペースすなわちコンパクトに収納できて占有面積が狭小ですむ。他方、災害発生時などの緊急時には、簡易迅速に組み立てて使用することが可能であり、かつ、災害が終息した後は簡易に撤去することができる。また、素材に段ボールを用いているので、安価で提供することができるだけでなく、資源としての再利用が可能であり、良好な環境の保全にも寄与することになる。したがって、本考案によりもたらされる効果は、実用上極めて大きい。
【考案を実施するための最良の形態】
【０００８】
本考案による緊急時用シェルターは、段ボールを用いた皿状の床部、床部上に載置される、段ボールを用いた筒状の壁部、及び壁部の上端部に嵌合して配設される段ボールを用いた皿状の屋根部からなる。以下、実施例により詳しく説明する。
【実施例１】
【０００９】
本考案の一実施例を、図１に示し説明する。ここで、図１（ａ）は、本実施例におけるる緊急時用シェルターの構成を示す正面図、図１（ｂ）は側面図である。
【００１０】
図１（ａ）において、本実施例における緊急時用シェルターは、素材に段ボールを用いて方形体状に形成されており、壁部１０、床部３０及び屋根部４０からなっている。各部に用いる段ボールの規格は、ＡＡフルートである。
【００１１】
正面の壁部１０には、窓部１２ａ，１２ｂを形成するための切れ目１１ａ，１１ｂがあり、壁部１０の背面も同じ構成となっている。この窓部１２ａ，１２ｂは、採光及び通気のために設けられており、開閉自在となっている。また、壁部１０の一方の側面には、図１（ｂ）に示すように、出入り用の扉部１５を形成するための切れ目１３，１４があり、この扉部１５は、紐材を用いた取っ手１６が取り付けられて開閉自在となっている。
【００１２】
図２（ａ）は、壁部１０を組み立てる前の状態を示す展開図であり、図示する形状の段ボール・シート２枚を、それぞれＬ字状に折り曲げたうえで、それぞれの幅方向における両端部どうしを接合して断面形状が四角形の四角筒状に組み立てる。なお、図中の破線は、折り曲げ線を示している（以下の各展開図において同じ）。
【００１３】
ここで、壁部１０を構成する２枚の段ボール・シートの幅方向における一方の端部には、２つの差込辺１７ａ，１７ｂが、突出するように設けられている。他方、２枚の段ボール・シートの幅方向におけるもう一方の端部の裏面には、図２（ｂ）（断面図）に示すように、長尺の段ボールを用いた橋架部材１９が、段ボールを用いた各介装部材２０ａ，２０ｂ，２１を介して取り付けられている。
【００１４】
そこで、壁部１０を構成する、Ｌ字状に折り曲げた２枚の段ボール・シートを接合して四角筒状にするには、段ボール・シートの端部に設けられた２つの差込辺１７ａ，１７ｂを、介装部材２０ａ，２０ｂ，２１を介して橋架部材１９を取り付けることにより形成される２つの空隙部内にそれぞれ差し込むことにより行う。
【００１５】
図１（ａ）において、このようにして組み立てられる壁部１０は、床部３０上に載置される。床部３０は、平面形状が四角形の四角皿状に形成されており、図３（ａ）は、その展開図である。また、壁部１０の上端部には、屋根部４０が嵌合するようにして配設される。この屋根部４０も四角皿状に形成されており、図３（ｂ）は、その展開図である。なお、屋根部４０は、図４（斜視図）に示すような長尺の段ボールを用いたキ字状の梁部４１によって支持される。また、壁部１０及び屋根部４０には、梁部４１が挿通する切欠きが設けられており、梁部４１は、壁部１０により支持される。
【００１６】
以上のような構成の緊急時用シェルターは、１〜２分程度で組み立てることが可能である。また、本実施例における緊急時用シェルターのサイズは、高さが1820mm、幅が2090mm、奥行きが1600mmであり、４〜６人を収容することができるものである。
【００１７】
なお、降雨時あるいは降雪時に本考案による緊急時用シェルターを使用する場合は、防水性を有するシート材又はテントでシェルターを覆い、かつ、地表に防水性を有するシート材を敷き、その上にシェルターを設置するようにするとよい。また、降雨や降雪を考慮するならば、段ボール・シート自体が防水性を備えるようにしてもよい。
【実施例２】
【００１８】
図５は、図１に示した実施例１とは形状が異なる緊急時用シェルターの構成を示しており、図５（ａ）は正面図、図５（ｂ）は側面図である。
【００１９】
図５（ａ）において、本実施例における緊急時用シェルターは、平面形状が正八角形の八角柱状に形成されており、壁部５０、床部６０及び屋根部７０からなっている。各部に用いる段ボールの規格は、実施例１と同じくＡＡフルートである。
【００２０】
八面からなる壁部５０の四面には、窓部５２ａ，５２ｂを形成するための切れ目５１ａ，５１ｂが設けられている。また、八面のうちの１つの面には、図５（ｂ）に示すように、扉部５５を形成するための切れ目５３，５４が設けられており、この扉部５５は、紐材を用いた取っ手５６が取り付けられている。
【００２１】
図６（ａ）は、壁部５０を組み立てる前の状態を示す展開図であり、図示する形状の段ボール・シート２枚を、それぞれ「〔」状に折り曲げたうえで、それぞれの幅方向における両端部どうしを接合して八角筒状に組み立てる。両端部どうしの接合は、２つの差込辺５７ａ，５７ｂにより、実施例１について説明したところと同様にして行う。
【００２２】
図５（ａ）において、組み立てられた壁部５０は、床部６０上に載置される。床部６０は、同一構成の２枚の段ボール・シートにより八角皿状に形成されている。図６（ｂ）は、１枚の段ボール・シートの展開図である。この段ボール・シートの一辺は、略凹凸状に形成されており、２枚の段ボール・シートの各凹凸部を接合する。
【００２３】
また、壁部５０の上端部には、屋根部７０が嵌合するようにして配設される。この屋根部７０も、同一構成の２枚の段ボール・シートにより八角皿状に形成されており、図６（ｃ）は、１枚の段ボール・シートの展開図である。２枚の段ボール・シートの接合部分には、テープ材を貼付する。なお、屋根部７０は、段ボールを用いた井桁状の梁部７１（図５（ａ），（ｂ））によって支持され、壁部５０及び屋根部７０には、この梁部７１が挿通する切欠きが設けられて、壁部５０により梁部７１は支持される。
【００２４】
本実施例における緊急時用シェルターは、５分程度で組み立てることが可能である。また、サイズは、高さが1820mm、最大幅が2504mmであり、６〜８人を収容することができるものである。降雨又は降雪への対処手段は、実施例１について説明したところと同じである。
【００２５】
図７は、上記各実施例１，２における緊急時用シェルターの近傍に併設されるブースの構成を示しており、図７（ａ）は正面図、図７（ｂ）は側面図である。衣服の着替えや排泄行為は、災害発生時などの緊急時といえども、周囲から遮断された空間内においてなされるのが望ましく、ここにおけるブースは、更衣室又はトイレットとして用いられるものである。
【００２６】
図７（ａ）において、ブースは、平面形状が正方形の四角柱状に形成されており、壁部８０、床部９０及び屋根部１００からなっている。各部に用いる段ボールの規格は、上記実施例１，２におけるシェルターと同じくＡＡフルートである。
【００２７】
壁部８０の正面及び背面の上端部付近には、通気のための打抜空部８１ａ〜ｃが設けられている。また、側面には、図７（ｂ）に示すように、扉部８５を形成するための切れ目８２，８３，８４が設けられており、この扉部８５は、紐材を用いた取っ手８６が取り付けられている。
【００２８】
図８（ａ）は、壁部８０を組み立てる前の状態を示す展開図であり、図示する形状の段ボール・シート２枚を、それぞれＬ字状に折り曲げたうえで、それぞれの幅方向における両端部どうしを接合して四角筒状に組み立てる。両端部どうしの接合は、２つの差込辺８７ａ，８７ｂにより、実施例１について説明したところと同様にして行う。
【００２９】
図７（ａ）において、組み立てられた壁部８０は、床部９０上に載置される。床部９０は、四角皿状に形成されており、図８（ｂ）は、その展開図である。また、壁部８０の上端部には、屋根部１００が嵌合するようにして配設される。この屋根部１００の構成は、床部９０と同一である。
【００３０】
このような緊急時用シェルターに併設されるブースのサイズは、高さが1820mm、最大幅が935mmであり、１分以下で組み立てることができる。降雨又は降雪への対処手段は、実施例１，２について説明したところと同じである。
【００３１】
図９は、各実施例１，２における緊急時用シェルター内で使用されるベッドの構成を示しており、図９（ａ）は平面図、図９（ｂ）は縦断面図、図９（ｃ）は横断面図である。
【００３２】
図９（ａ）において、ベッドは、それぞれ箱体状の２つの寝台半部１１０，１１１と、各寝台半部１１０，１１１を補強するための補強部１１４（図９（ｂ））からなっている。ここに用いる段ボールの規格は、ＣＢフルートである。
【００３３】
一方の寝台半部１１０は、他方の寝台半部１１１よりは若干サイズが小さく、この他方の寝台半部１１１に包摂される大きさであり、紐材を用いた持ち手１１２が取り付けられている。他方の寝台半部１１１には、図９（ｂ）に示すように、紐材からなる持ち手１１２が挿通し得る程度の大きさの細長方形状の孔部１１３が穿設されている。各寝台半部１１０，１１１が重合する部分には、テープ材を貼付する。ここにおける各寝台半部１１０，１１１を組み立てる前の状態は、図１０（ａ）及び（ｂ）の展開図が示す通りである。
【００３４】
これらの寝台半部１１０，１１１の内部には、図９（ｂ）及び（ｃ）に示すように、上方からの荷重に耐え得るように、短冊状の段ボールを縦横４枚ずつ用いて井桁状に形成したものを３つ用いた補強材１１４が配設されている。なお、このベッドのサイズは、長さが1750mm、幅が650mmである。
【００３５】
このような構成のベッドをシェルター内に配置するならば、床面上で就寝する場合よりも、身体を横にしたり起き上がるのもし易く、しかも、地表に接している床面からの冷気を遮断することができ、高齢者や病人にとっては有益である。
【００３６】
他方、このようなベッドをそのままの状態でシェルター内に配置しておくと、シェルター内で大きな面積を占有してしまう。そこで、このベッドを使用しない時は、各寝台半部１１０，１１１が重合して１個の箱体を形成するように、それぞれ90度折り曲げ、形成された箱体の中に、折り畳んだ補強材１１４を収容する。これにより、占有面積を小さくすることができるとともに、可搬性を持たせることが可能となる。
【００３７】
図１１は、図７及び図８により説明したブースをトイレットとして使用する場合に、その中に配置する便器の構成を示す斜視図である。ここに示した便器は、蓋部１２０、便座部１３０、本体部１４０及び支持部１５０からなっている。各部に用いる段ボールの規格は、Ｂフルートである。
【００３８】
蓋部１２０は、１枚の段ボール・シートからなり、図１２（ａ）（平面図）に示すように、略楕円状に形成されており、一方の端部に差込辺１２１が突出して設けられている。また、便座部１３０は、図１２（ｂ）（斜視図）に示すように、平面形状が略Ｏ字状に形成され、これに設けられた切欠き１３１に、蓋部１２０の差込辺１２１が差し込まれる。このような構成の便座部１３０は、本体部１４０（図１１）により支持される。便座部１３０を組み立てる前の状態は、図１２（ｃ）の展開図が示す通りである。
【００３９】
本体部１４０は、図１３（ａ）（斜視図）に示すように、略方形体状に形成され、その内部には、排泄された便を収容する、ポリプロピレンなどの素材からなる袋を収納するための便袋収納部１４１が配置されている。この便袋収納部１４１の上部には、便袋の上端部を掛止するためのストッパ１４２ａ〜ｄが設けられている。図１３（ｂ）は、本体部１４０の構成を底面側から表した斜視図である。
【００４０】
図１４（ａ）は、便袋収納部１４１を取り外した状態の本体部１４０の構成を示す斜視図、これを本体部１４０の底面側から表したのが図１４（ｂ）（斜視図）であり、図１４（ｃ）は、本体部１４０の展開図である。また、図１５（ａ）は、便袋収納部１４１の構成を底面側から表した斜視図であり、図１５（ｂ）は、便袋収納部１４１の展開図である。
【００４１】
このように構成された本体部１４０は、図１６（ａ）（斜視図）に示す略四角皿状の支持部１５０に嵌合するようにして支持される。図１６（ｂ）は、支持部１５０の展開図である。
【００４２】
以上のような構成の便器は、既述のように、図７及び図８により説明したブース内に配置して使用する。なお、この便器の素材に用いる段ボールは、便器としての性質上、防水性を備えていることが好ましい。
【００４３】
図１７は、上記実施例１，２における緊急時用シェルター内に配置されるキャビネットの構成を示す、扉部を若干開けた状態の斜視図である。災害などの発生により緊急に避難した場所であっても、身の回り品は、雑然とではなく１箇所に整理して保管しておくことが望まれるところである。ここに示したキャビネットは、このような要請に応えるものである。
【００４４】
図１７に示されたキャビネットは、天蓋部１６０、引出し部１７０、引出し部１７０の出し入れを案内するための案内部１８０、２つの側壁部１９０ａ，１９０ｂ、扉部２００、仕切板部２１０及び２つの側壁部１９０ａ，１９０ｂを連結するための、ここでは図示されてはいない連結部からなっている。各部に用いる段ボールの規格は、Ｃフルートである。
【００４５】
天蓋部１６０は、角皿状に形成されており、図１８は、その展開図である。また、引出し部１７０は、図１９（ａ）（斜視図）に示すように、箱体状に形成され、組み立てる前の状態は、図１９（ｂ）の展開図が示す通りである。この引出し部１７０の出し入れを案内する案内部１８０も、図２０（ａ）（斜視図）に示すように、箱体状に形成されており、図２０（ｃ）は、その展開図である。この案内部１８０は、天蓋部１６０を支持する機能も有している。
【００４６】
側壁部１９０ａは、図２１（ａ）（斜視図）に示すように、扁平な方形体状に形成され、組み立てる前の状態は、図２１（ｂ）の展開図が示す通りである。この図２１では、一方の側壁部１９０ａの構成のみを示しているが、他方の側壁部１９０ｂも、その構成は同一である。この側壁部１９０ａ，１９０ｂは、引出し部１７０の出し入れを案内する案内部１８０を支持している。
【００４７】
図２２（ａ）は、扉部２００の展開図であり、扉部２００に突出して設けられた差込辺２０１ａ〜ｃが、側壁部１９０ａに設けられた切欠き１９１ａ〜ｃ（図２１（ａ））に差し込まれる。また、図２２（ｂ）は、仕切板部２１０の展開図であり、仕切板部２１０に突出して設けられた差込辺２１１ａ〜ｈが、側壁部１９０ａに設けられた切欠き１９２ａ，１９２ｂ（図２１（ａ））に差し込まれる。
【００４８】
図２３は、２つの側壁部１９０ａ，１９０ｂを連結する連結部の構成を示しており、図２３（ａ）は斜視図、図２３（ｂ）は展開図である。２つの側壁部１９０ａ，１９０ｂは、図２４（ａ）（上方から見た図）において矢印で示すように、各側壁部１９０ａ，１９０ｂの背面側を、連結部２２０の背壁２２１に両面テープあるいは接着剤により固着する。また、図２４（ｂ）（正面から見た図）において矢印で示すように、連結部２２０の上壁２２２及び底壁２２３を、各側壁部１９０ａ，１９０ｂに対して差し込むようにする。
【００４９】
以上のような構成のキャビネットを、シェルター内に置くならば、避難生活に必要な身の回り品を１箇所に整理して保管しておくことが可能となり、使用上の利便性を確保することができることになる。
【００５０】
以上においては、災害発生時などの緊急時に使用するシェルターとして、平面形状が四角形及び八角形のものを例に挙げて説明した。しかし、本考案は、これに限定されるものではない。その他にも、平面形状が、例えば六角形などの多角形である場合に、本考案は適用され得るものである。
【図面の簡単な説明】
【００５１】
【図１】本考案の実施例１の構成を示す構成図である。
【図２】図１に示した壁部の構成を示す構成図である。
【図３】図１に示した床部及び屋根部の構成を示す構成図である。
【図４】図１に示した梁部の構成を示す構成図である。
【図５】本考案の実施例２の構成を示す構成図である。
【図６】図５に示した壁部、床部及び屋根部の構成を示す構成図である。
【図７】図１及び図５に示した実施例１，２の近傍に併設されるブースの構成を示す構成図である。
【図８】図７に示したブースの壁部及び床部の構成を示す構成図である。
【図９】図１に示したシェルター又は図５に示したシェルター内で使用されるベッドの構成を示す構成図である。
【図１０】図９に示した寝台半部の構成を示す構成図である。
【図１１】図１に示したシェルター又は図５に示したシェルター内で使用される便器の構成を示す斜視図である。
【図１２】図１１に示した蓋部及び便座部の構成を示す構成図である。
【図１３】図１１に示した本体部の構成を示す斜視図である。
【図１４】図１３とともに図１１に示した本体部の構成を示す構成図である。
【図１５】図１３に示した便袋収納部の構成を示す構成図である。
【図１６】図１１に示した支持部の構成を示す構成図である。
【図１７】図１に示したシェルター又は図５に示したシェルター内で使用されるキャビネットの斜構成を示す視図図である。
【図１８】図１７に示した天蓋部の展開図である。
【図１９】図１７に示した引出し部の構成を示す構成図である。
【図２０】図１７に示した案内部の構成を示す構成図である。
【図２１】図１７に示した側壁部の構成を示す構成図である。
【図２２】図１７に示した扉部及び仕切板部の構成を示す構成図である。
【図２３】図２１に示した側壁部どうしを連結する連結部の構成を示す構成図である。
【図２４】図２３に示した連結部により図２１に示した側壁部を連結する様子を説明するための説明図である。
【符号の説明】
【００５２】
１０  壁部
１１ａ，１１ｂ  切れ目
１２ａ，１２ｂ  窓部
１３，１４  切れ目
１５  扉部
１６  取っ手
１７ａ，１７ｂ  差込辺
１９  橋架部材
２０ａ，２０ｂ  介装部材
３０  床部
４０  屋根部
４１  梁部
５０  壁部
５１ａ，５１ｂ  切れ目
５２ａ，５２ｂ  窓部
５３，５４  切れ目
５５  扉部
５６  取っ手
５７ａ，５７ｂ  差込辺
６０  床部
７０  屋根部
７１  梁部
７２ａ〜７２ｄ  切欠き
８０  壁部
８１ａ〜８１ｃ  打抜空部
８２，８３，８４  切れ目
８５  扉部
８６  取っ手
８７ａ，８７ｂ  差込辺
９０  床部
１００  屋根部
１１０，１１１  寝台半部
１１２  持ち手
１１３  孔部
１１４  補強部
１２０  蓋部
１２１  差込辺
１３０  便座部
１３１  切欠き
１４０  本体部
１４１  便袋収納部
１４２ａ〜１４２ｄ  ストッパ
１５０  支持部
１６０  天蓋部
１７０  引出し部
１８０  案内部
１９０ａ，１９０ｂ  側壁部
１９１ａ〜１９１ｃ，１９２ａ，１９２ｂ  切欠き
２００  扉部
２０１ａ〜２０１ｃ  差込辺
２１０  仕切板部
２１１ａ〜２１１ｈ  差込辺
２２０  連結部
２２１  背壁
２２２  上壁
２２３  底壁
【図１】
0003135758.tif 000003
【図２】
0003135758.tif 000004
【図３】
0003135758.tif 000005
【図４】
0003135758.tif 000006
【図５】
0003135758.tif 000007
【図６】
0003135758.tif 000008
【図７】
0003135758.tif 000009
【図８】
0003135758.tif 000010
【図９】
0003135758.tif 000011
【図１０】
0003135758.tif 000012
【図１１】
0003135758.tif 000013
【図１２】
0003135758.tif 000014
【図１３】
0003135758.tif 000015
【図１４】
0003135758.tif 000016
【図１５】
0003135758.tif 000017
【図１６】
0003135758.tif 000018
【図１７】
0003135758.tif 000019
【図１８】
0003135758.tif 000020
【図１９】
0003135758.tif 000021
【図２０】
0003135758.tif 000022
【図２１】
0003135758.tif 000023
【図２２】
0003135758.tif 000024
【図２３】
0003135758.tif 000025
【図２４】
0003135758.tif 000026